(57)【要約】【課題】蜂等の害虫に遭遇したときなど、必要なときにのみ即座に着用することができる携帯用防護服を提供する。【解決手段】本発明の携帯用防護服２は、使用者の背中に当接する背当て部２０とこの背当て部２０の前面側に設けられた背負いベルト２２とを有し、使用者の上半身に着用可能な上衣部４と、上衣部４の背側の裾に連結され、かつ、使用者の下半身に着用可能な下衣部６とを備える。上衣部４および下衣部６は、それぞれ背当て部２０の背面側に折り畳み可能であるとともに、使用者が背負ったままで、折り畳んだ状態から展開して着用可能である。【選択図】  図３
2010203009.tif 000002
【特許請求の範囲】
【請求項１】
背中に背負って携帯可能な携帯用防護服であって、
使用者の背中に当接する背当て部と、この背当て部の前面側に設けられた背負いベルトとを有し、かつ、携帯時に前記背当て部の背面側に折り畳まれているとともに、使用者が背負ったまま折り畳まれた状態から展開させて使用者の上半身に着用可能な上衣部と、
前記上衣部の背側の裾に連結され、かつ、携帯時に前記背当て部の背面側に折り畳まれているとともに、使用者が背負ったまま折り畳まれた状態から展開させて下半身に着用可能な下衣部と、
を備えていることを特徴とする携帯用防護服。
【請求項２】
前記下衣部が、腰巻き式である請求項１記載の携帯用防護服。
【請求項３】
前記上衣部が、頭から被る被り式である請求項１又は２に記載の携帯用防護服。
【請求項４】
前記上衣部に、前記背当て部の左右両側から裾に向けて上下方向に伸びるスリットが形成されている請求項３記載の携帯用防護服。
【請求項５】
携帯時に、前記下衣部が背当て部の背面に重ねた状態で折り畳まれ、前記上衣部が折り畳まれた前記下衣部の背面に重ねた状態で折り畳まれている請求項１〜４のいずれかに記載の携帯用防護服。
【発明の詳細な説明】
【技術分野】
【０００１】
本発明は、携帯用防護服に関するものである。
【背景技術】
【０００２】
山間部において巡視等の作業を行っていると、蜂に遭遇することがしばしばある。この際、被害を最小限に抑えるためには予め対処法を準備しておくことが望まれる。
このような対処法の一つとして、蜂用の防護服を着用することが考えられる。しかし、一般的な蜂用の防護服は蜂の針が貫通できない硬い素材で形成され、柔軟性や通気性に欠けるため、作業者の動きが阻害されるとともに真夏には熱がこもって作業環境が極めて悪化する。したがって、このような防護服は、蜂の駆除など、直接蜂に接触するような特定の用途でしか利用されておらず、蜂に遭遇したときの一時的な対処のために着用することは現実的ではない。
【０００３】
一方、下記特許文献１〜３には、作業者の動き易さや真夏の作業性等を改善するため、柔軟性や通気性、冷却性能等を考慮した防護服が提案されている。
【先行技術文献】
【特許文献】
【０００４】
【特許文献１】特開２００２−３３９１２０号公報
【特許文献２】特開平７−１０２４０１号公報
【特許文献３】特開平１０−５３０９７号公報
【発明の概要】
【発明が解決しようとする課題】
【０００５】
しかしながら、特許文献１〜３に記載された防護服であっても、山間部の巡視のように長時間の作業にはやはり適しておらず、多少作業条件が改善する程度である。また、山間部においては、作業員の存在を周囲に知らせ易くするために、特定の目立ちやすい色の作業服を着用することが要求される場合もあり、このような場合には防護服を常に着用しておくことはできない。
【０００６】
本発明は、蜂等の害虫に遭遇したときなど、必要なときにのみ即座に着用することができる携帯用防護服を提供することを目的とする。
【課題を解決するための手段】
【０００７】
本発明は、背中に背負って携帯可能な携帯用防護服であって、
使用者の背中に当接する背当て部と、この背当て部の前面側に設けられた背負いベルトとを有し、かつ、携帯時に前記背当て部の背面側に折り畳まれているとともに、使用者が背負ったまま折り畳まれた状態から展開させて使用者の上半身に着用可能な上衣部と、
前記上衣部の背側の裾に連結され、かつ、携帯時に前記背当て部の背面側に折り畳まれているとともに、使用者が背負ったまま折り畳まれた状態から展開させて下半身に着用可能な下衣部と、を備えていることを特徴とする。
【０００８】
本発明の携帯用防護服は、上衣部及び下衣部を折り畳み、背負いベルトを用いて使用者が背負うことによって携帯することができる。そして、携帯用防護服を着用する場合は、使用者が当該防護服を背負ったまま、折り畳まれた上衣部を展開させて上半身に着用し、折り畳まれた下衣部を展開させて下半身に着用することで、蜂などの害虫から身体を防護することができる。したがって、本発明の防護服は、使用者の背中に背負って携帯した状態で通常の作業を行い、蜂等に遭遇した場合にのみ即座に着用することが可能である。
【０００９】
下衣部は腰巻き式であることが好ましい。これにより下衣部を腰に巻き付けるだけで迅速に着用することができる。また、上衣部は、頭から被る被り式であることが好ましい。これによって上衣部を頭から被って迅速に着用することができる。
【００１０】
上衣部には、前記背当て部の左右両側から裾に向けて上下方向に伸びるスリットが形成されていることが好ましい。これによって上衣部が被り式であっても、当該上衣部を裏返すことなく背当て部の背面側に折り畳むことができる（例えば、図７参照）。また、このようなスリットが形成されることによって、使用者が背負ったままでも被り式の上衣部を簡単に着用することができる。
【００１１】
また、携帯時に、下衣部は背当て部の背面に重ねた状態で折り畳まれ、上衣部は折り畳まれた下衣部の背面に重ねた状態で折り畳まれていることが好ましい。このように、折り畳まれた下衣部に重ねるようにして上衣部を折り畳むことによって、上衣部によって下衣部を押さえ、使用者の肩に背負った状態でも下衣部を折り畳んだ状態に維持することができる。したがって、必要に応じて上衣部に対して折り畳み状態を維持するための手段を施しておけば全体を折り畳んだ状態に維持することができる。また、上衣部の折り畳みを解いて拡げることによって、下衣部の折り畳みも解くことができる。
【発明の効果】
【００１２】
本発明の携帯用防護服は、作業中には背中に背負って携帯することができ、蜂等の害虫に遭遇したときなど、必要なときのみ即座に着用することができる。
【図面の簡単な説明】
【００１３】
【図１】本発明の実施形態に係る携帯用防護服を使用者が着用した状態を示す正面図である。
【図２】同携帯用防護服を使用者が着用した状態を示す背面図である。
【図３】同携帯用防護服を使用者が着用した状態を示す側面断面図である。
【図４】同携帯用防護服の概略正面図である。
【図５】折り畳んだ防護服を背中に背負った状態を示す側面図である。
【図６】下衣部を折り畳む手順を示す背面説明図である。
【図７】上衣部を折り畳む手順を示す背面説明図である。
【図８】折り畳んだ防護服を拡げて着用可能な状態にする過程を説明する説明図である。
【発明を実施するための形態】
【００１４】
次に本発明を実施するための形態について図面を参照して説明する。
図１は本発明の実施形態に係る携帯用防護服を使用者が着用した状態を示す正面図、図２は同背面図、図３は、同側面断面図である。また、図４は、携帯用防護服の概略正面図である。本実施形態の防護服２は、主として蜂に対する防護を目的とするものであり、使用者の上半身を覆う上衣部４と、下半身を覆う下衣部６とから構成されている。上衣部４および下衣部６は、従来の蜂用防護服と同様の素材、例えば、ナイロン繊維、ポリエステル繊維から形成された生地を複数層構造に形成したり、樹脂コーティング処理を施したりすることによって蜂の針が貫通しない硬さ、厚さ等に形成されたものを使用することができる。
【００１５】
上衣部４は、被り式（プルオーバー式）とされており、使用者の胴体を覆う身頃部８と、身頃部８の左右両側に接続されるとともに使用者の腕を覆う袖部１０と、身頃部８の上部に接続されるとともに使用者の頭部を覆う頭覆部１２とを一体に備えている。
【００１６】
袖部１０の先端には、使用者の手を覆う手袋部１４が一体に形成されている。頭覆部１２の前面には、内部から外側を透視可能な合成樹脂等からなる透明シート１６（透視部）が使用者の目の位置に合わせて設けられている。また、この透明シート１６の下側には、空気の流通が可能なメッシュ素材等の通気部１８が使用者の口及び鼻の位置に合わせて設けられている。
【００１７】
身頃部８の背中部分（後身頃）には背当て部２０が設けられている。そして、その背当て部２０の内面側（前面側）には使用者の肩に掛ける背負いベルト２２が設けられている。本実施形態の背負いベルト２２は左右一対設けられており、この左右の背負いベルト２２をそれぞれ使用者の左右の肩に掛けることによって、折り畳まれた防護服２（例えば図５参照）をリュックサックの如く背負うことが可能となっている。
【００１８】
背当て部２０は、背負いベルト２２が設けられた部位であって背負った状態で背中に対向する上衣部４の一部である。本実施形態では背負いベルト２２が接続された部分を含む略矩形状の範囲を背当て部２０としている。このような略矩形の背当て部２０に対しては芯材を埋設してもよく、これによって背当て部２０の形状を保ち、安定して防護服２を背中に背負うことが可能となる。
【００１９】
図２に示すように、身頃部８の背中部分には、背当て部２０の左右両側の上端部から身頃部８の裾（下端）に到るスリット２４が上下方向に形成されている。このようなスリット２４を形成することによって、後述するように上衣部４を裏返すことなく折り畳み、背中に背負うことが可能となっている。
【００２０】
下衣部６は、上衣部４の背側の裾、具体的には背当て部２０の下端部に接続されることによって、上衣部４と一体に形成されている。下衣部６は、正面視で矩形状に形成され、使用者の腰に巻き付けて着用する腰巻き式とされており、使用者の腰の背側から前方へ巻き付けるように構成されている。また、図４に示すように、下衣部６の左右両端部には上下方向に長い一対の面ファスナー２６Ａ，２６Ｂが設けられ、下衣部６の左右両側の上縁部には左右方向に長い一対の面ファスナー２８Ａ，２８Ｂが設けられている。そして、使用者の腰に下衣部６を巻き付けるとともに、各一対の面ファスナー２６Ａ，２６Ｂ，２８Ａ，２８Ｂをそれぞれ接合することによって、腰に巻き付けた状態を維持することができる。
【００２１】
また、図１および図２に示すように、下衣部６の上部側は、上衣部４の下部側とオーバーラップしており、上衣部４の外側から下衣部６を巻き付けることによって上衣部４が外側へ広がるのを防止することができる。特に上衣部４の背中にはスリット２４が形成されているので、下衣部６を巻き付けることによってスリット２４が広がるのを防止することができる。
【００２２】
図５は、折り畳んだ防護服２を背中に背負った状態を示す側面図である。本実施形態の防護服２は、上衣部４および下衣部６を折り畳んで背当て部２０の背面（後側）に重ね合わせ、背負いベルト２２を肩に掛けることによって、折り畳まれた防護服２を背負うことが可能となっている。
【００２３】
図６は、下衣部６を折り畳む手順を示す背面説明図である。なお、この図では上衣部４が省略されている。図６（ａ）に示すように、下衣部６を折り畳むには、拡げた状態の下衣部６の左右両側を内側に折り畳み、下衣部６の左右方向の幅を背当て部２０の左右方向の幅に略一致させる。次いで、下衣部６の上下方向の幅を背当て部２０の上下方向に幅に略一致させるように下衣部６を折り畳む。例えば、図６（ｂ）に示すように、下衣部６を２点鎖線Ｌ１で谷折りするとともに２点鎖線Ｌ２で山折りすることによって背当て部２０の背面に下衣部６を２つ折りにして重ね合わせる。
【００２４】
図７は、上衣部４を折り畳む手順を示す背面説明図である。なお、この図では下衣部６が省略されている。図７（ａ）に示すように、上衣部４を折り畳むには、背当て部２０を除く上衣部４を背面側へ折り返すことによって上下逆向きの状態とする。そして、上衣部４の左右両側を内側に折り畳み、上衣部４の左右方向の幅を背当て部２０の左右方向の幅に略一致させる。そして、上衣部４の上下方向の幅が背当て部２０の上下方向の幅と略一致するように上衣部４を折り畳む。例えば、図７（ｂ）に示すように、上衣部４を２点鎖線Ｌ３で谷折りするとともに、２点鎖線Ｌ４で山折りすることによって背当て部２０の背面に上衣部４を２つ折りにして重ね合わせる。
【００２５】
このとき、図５に示すように、既に折り畳んだ下衣部６の上側に上衣部４を重ね合わせ、下衣部６を上衣部４によって押さえることにより、下衣部６が拡がるのを抑制する。上衣部４には、２つ折りによって重ね合わされる部分に一対の面ファスナー３０Ａ，３０Ｂが設けられており、この一対の面ファスナー３０Ａ，３０Ｂを接合することによって折り畳んだ状態が維持される。なお、上衣部４に折り目（折り皺）を形成することによって折り畳んだ状態を維持することができれば、面ファスナー３０Ａ，３０Ｂ等は必ずしも必要ではない。
【００２６】
また、図７に示すように、上衣部４の裾には、紐３２が取り付けられており、この紐３２は、図５に示すように、折り畳んだ上衣部４の上端からループ状に突出するようになっている。この紐３２は、後述するように防護服２を展開する際の引き手として利用される。
【００２７】
図８は、折り畳んだ防護服２を展開させて着用可能な状態にする過程を説明する説明図である。折り畳んだ防護服２を着用可能な状態に展開するには、図８（ａ）の状態から紐３２を上方に引き上げることによって上衣部４の２つ折り状態を解く。下衣部６は、上衣部４によって上から押さえられているだけであるため、上衣部４を上方へ引き上げると自重によって２つ折り状態が自然に解かれる。そして、上衣部４および下衣部６をそれぞれ拡げ、上衣部４を頭から被ることによって上半身に着用し、下衣部６を腰に巻き付けるとともに、身体の前側で面ファスナー２６Ａ，２６Ｂ，２８Ａ，２８Ｂを閉じることによって下半身に着用する。
【００２８】
以上のように本実施形態の防護服２は、背中に背負った状態のまま折り畳んだ上衣部４および下衣部６を展開させて着用することが可能である。したがって、山間部における作業中には防護服２を折り畳んだ状態で背負い、蜂に遭遇したときなど緊急時には迅速に上衣部４および下衣部６を展開して着用することができる。そのため、作業中に常時防護服を着ておく必要が無く、当該防護服２によって動作が阻害されたり、真夏に熱がこもることによって作業環境が悪化したりすることもない。
【００２９】
また、上衣部４が被り式となっているので、頭から被ることによって迅速に着用することができる。上衣部４の頭覆部１２には透明シート１６が設けられているので、視認性を損なうことがなく、また、通気部１８が設けられているので、呼吸も適切に行うことができる。
下衣部６は腰巻き式となっているので、使用者の腰に巻き付けて面ファスナー２６Ａ，２６Ｂ，２８Ａ，２８Ｂを接合するだけで簡単かつ迅速に着用することができる。特に、下衣部６の左右両側を身体の前で閉じるようにしているので、より容易に着用することができる。
【００３０】
なお、本実施形態の防護服２は、上衣部４にスリット２４が形成され、下衣部６は下方が開放した状態となっているため、これらの開口部から蜂等が侵入しうる構造となっている。しかし、本実施形態の防護服２は、蜂の駆除用や養蜂用の防護服２のように蜂に対する作業中に着用するものとは異なり、緊急時に蜂から避難する間だけ使用するものであるため、僅かな開口部が有ったとしても性能にさほど影響はない。ただし、蜂等の侵入をより確実に防止するため、スリット２４の部分を面ファスナー等によって閉じたり、下衣部６の下端部をゴムバンド等によって窄めたりすることも可能である。また、本実施形態の防護服２は、作業中に常時又は一時的に着用しておくことも可能である。
【００３１】
本発明は上記実施形態に限定されることなく適宜設計変更可能である。
例えば、上衣部４は前開き式であってもよく、正面を面ファスナー等によって接合する構成としてもよい。また、山間部等における作業では予め手袋を装着しているケースが多いため、袖部１０は必ずしも手袋部１４を備えていなくてもよい。
また、上記実施形態において、面ファスナーを用いている部分には、スナップボタンやファスナーを用いてもよい。
背負いベルトは、使用者の両肩に掛けるものに限らず、タスキがけのように片側の肩にかけるものであってもよいし、使用者の胴周りに巻き付けるものであってもよい。
【００３２】
本発明は、蜂等の害虫用の防護服２に限らず、他の目的に使用する防護服、例えば、風雨用の防護服（防水服）にも適用可能である。この場合、作業中などに突然の雨にあったときに、迅速に防護服２を着用することによって風雨から身体を防護することが可能である。異なる目的の防護服２に適用する場合には、その目的に応じた素材により防護服２を形成すればよい。
【符号の説明】
【００３３】
２      防護服
４      上衣部
６      下衣部
２０      背当て部
２２      背負いベルト
２４      スリット
【図１】
2010203009.tif 000003
【図２】
2010203009.tif 000004
【図３】
2010203009.tif 000005
【図４】
2010203009.tif 000006
【図５】
2010203009.tif 000007
【図６】
2010203009.tif 000008
【図７】
2010203009.tif 000009
【図８】
2010203009.tif 000010